(57)【特許請求の範囲】
【請求項１】
スピーカ振動板に固着された同心円筒状のボイスコイルと磁気的に係合する磁気回路からなる音響装置において、前記ボイスコイルと磁気的に係合するフレームに固定された外磁型永久磁石からなる磁気回路のキャップ状ヨークの内周部に円筒状磁石を配設し、該永久磁石と空隙を介して複数個のコイルが巻回された磁性材料からなる複数個のスパイダを対向し、該スパイダと偏心した錘を回転子軸受に固定配設して回転子を形成し、該回転子をフレームに固着した回転子軸に対して回転自在に構成し、該回転子の回転によって生じる遠心力により振動加震力が発生するようにしたことを特徴とする多機能型音響装置。
【請求項２】
前記ボイスコイルと磁気的に係合する磁気回路からなる音響装置において、フレームの底面に、磁性材料からなる中空キャップ状ヨークの平坦部を固定し、該平坦部上に軸方向断面が円形または楕円形状の厚み方向に単磁極に着磁されたスピーカ磁石上に磁性材料からなる板状の外周ヨークを配設し、前記ボイスコイルと磁気的に係合するように前記外周ヨークの内周面と前記キャップ状ヨークの外周面を空隙を介して対向して設け、前記キャップ状ヨークの内周側面に直径方向に着磁された円筒状のモータ磁石を設け、該モータ磁石と空隙を介して前記フレームの中心部に前記回転子を支持する回転子軸を固着し、該永久磁石と空隙を介して複数個のコイルが巻回された磁性材料からなる複数個のスパイダを対向し、該スパイダと偏心した錘を回転子軸受に固定配設して回転子を形成し、該回転子を前記フレームに固着した回転子軸に対して回転自在に構成し、該回転子の回転によって生じる遠心力により振動加震力が発生するようにしたことを特徴とする請求項１に記載の多機能型音響装置。
【請求項３】
前記多機能型音響装置の振動板の外形は、円形又は楕円形であることを特徴とする請求項１または２に記載の多機能型音響装置。
【請求項４】
前記多機能型音響装置のスピーカ磁石の外形は、円形又は楕円形であることを特徴とする請求項１乃至３のいずれかに記載の多機能型音響装置。
【請求項５】
前記多機能型音響装置のモータの回転子は、複数のスロットを有する積層された磁性材料からなり、上面に偏心された錘を搭載し、下面には平板上のコンミュテータを配設し、回転自在となるように構成したことを特徴とする請求項１乃至４のいずれかに記載の多機能型音響装置。
【請求項６】
前記多機能型音響装置のモータの回転子は、前記回転子の上下面のいずれかに、比重の大きい部材を、回転によって生じる遠心力によって振動加震力が発生するように片錘となるように前記回転子軸に対して偏心させて配設したことを特徴とする請求項１乃至５のいずれかに記載の多機能型音響装置。
【請求項７】
前記多機能型音響装置のモータのブラシは、前記フレームの底部に一対固定され、該ブラシの先端部は前記回転子のコンミュテータの上面を弾性的に押圧するように構成したことを特徴とする請求項１乃至６のいずれかに記載の多機能型音響装置。
【発明の詳細な説明】
【０００１】
【発明の属する技術分野】
本発明は、携帯機器に用いられている多機能型音響装置を形成するスピーカと振動モータの構成に関するもので、特にスピーカと振動モータを同時駆動が可能で優れた音響特性が期待できてスペース効率を改善できる全体構成に関するものである。
【０００２】
【従来の技術】
従来からＰＨＳや携帯電話等の携帯機器には、コンサート会場や病院等の受信時の静粛な環境を乱さないように、受信音による発音によらず、振動モータの振動によって受信を携帯機器の利用者に感知させる振動モータが搭載されている場合が多い。一方では、受信音の受音が必要なだけではなく、更に音響特性の優れたスピーカが要求されている。このため、従来は振動モータとスピーカが２個携帯機器に装着される場合が多く、スペース効率が悪くなって、携帯機器の小型化と軽量化及びコストダウンが困難であった。これを改善するために、最近では、スピーカの振動板の振動の他に、スピーカの振動板上のボイスコイルと磁気的に係合する永久磁石体をフレームにばねで固定して、１００〜１５０Ｈｚの低周波で独立に駆動し、振動方向はスピーカ振動板と同一方向にバイブレーシヨンを可能とするいわゆるマルチファンクションデバイスが発表されている。以下ではいわゆるマルチファンクションデバイスの代表的な従来例を列挙して詳細に説明する。
【０００３】
図６は、特開平５ー８５１９２号に記載された電磁誘導型変換器の説明図に相当する従来例の断面図である（文献Ａ）。図７は、多機能型装置の従来例の半断面図である（文献B）。図８は、本願出願人による既出願文献・特願２０００ー１２１８５２号に記載された説明図に相当する断面図である（文献C）。
図６において、電磁誘導型変換器は、いわゆる内磁型（永久磁石がボイスコイルの内側に配設された構造）であり、中心部５０７を有するダイアフラム５０６の中心にボイスコイル５０８を固着し、スプリング体５１１の中心部にマグネット５１０を固着し、ボイスコイル５０８に対してマグネット５１０を内挿するような位置にダイアフラム５０６及びスプリング体５１１を上下対向させ、マグネット５１０の１極の端面がボイスコイル５０８中央部に位置するように配置してケース５１２内に収納して構成されている。ボイスコイル５０８に低周波信号もしくは高周波信号を印加することによって、スプリング体５１１をマグネット５１０の極方向に振動させるものである。
【０００４】
文献Ａでは、ダイアフラム５０６とスプリング体５１１は、ボイスコイル５０８とマグネット５１０との磁気結合を通して相対運動すように構成されているので、ボイスコイル５０８に低周波信号もしくは高周波信号を印加すると、ダイアフラム５０６とスプリング体５１１には連成振動が生じる。その結果、音声・音楽等の再生時に歪みが発生してその品質が劣化する問題があった。また、音声・音楽等の再生と低周波振動を同時に駆動することは、ボイスコイル５０８とマグネット５１０との磁気結合に低周波振動が重畳してしまうので、一層音声・音楽等の再生時に大きな歪みを生じ、事実上不可能であった。
【０００５】
文献Bにおいて、従来例の多機能型音響装置は、いわゆる外磁型（永久磁石がボイスコイルの外側に配設された構造）である。コルゲーションの有る外周辺部６０３ａを有し，中心部がドーム状に成形された合成樹脂からなるスピーカ振動板６０３の中心部に同心円筒状のボイスコイル６０４が固定されている。スピーカ振動板６０３の外周辺部６０３ａは、フレーム６０９に接着剤等で固定されている。上面が半球面状で円柱状のトップヨーク６０１の外周部６０１ａと外周部ヨーク６０６の内周部６０６ａはボイスコイル６０４と磁気的に係合する空隙６１１を構成する。中空円盤状で厚み方向に単磁極に着磁された永久磁石６０２は、トップヨーク６０１、下ヨーク６０５、外周部ヨーク６０６とで磁気回路を形成すると同時に平行ばね６０７、６０８で下ヨーク６０５、外周部ヨーク６０６の外周部がフレーム６０９に固定支持されてスピーカ振動板６０３の振動方向に振動できる永久磁石体６１０を構成している。
【０００６】
スピーカ振動板６０３に這うように引き出されたボイスコイル６０４のリード線の入力端子６１２ａ、６１２ｂに交流電圧が印加されると、ボイスコイル６０４に電流が流れてスピーカ振動板６０３はＺ方向に振動して音圧を発生する。このとき、標準的な２０mmφ×５mm程度の大きさの音響装置では、永久磁石体６１０の共振周波数は概ね１１０〜１５０Ｈｚに、スピーカ振動板６０３の１次共振周波数は概ね７００〜９００Ｈｚ、２次共振周波数は５ｋＨｚ前後に設定されている場合が多い。音声や音楽の再生は７００〜５ｋＨｚの帯域で行われるが、スピーカ振動板６０３と永久磁石体６１０は、ボイスコイル６０４と永久磁石体６１０との磁気結合を通して相対運動するように構成されているので、ボイスコイル６０４に低周波信号もしくは高周波信号を印加すると、スピーカ振動板６０３と永久磁石体６１０には連成振動が生じる。その結果、音声・音楽等の再生時に歪みが発生してその品質が劣化する問題があった。また、音声・音楽等の再生と低周波振動を同時に駆動することは、ボイスコイル６０４と永久磁石６１０との磁気結合に低周波振動が重畳してしまうので、一層音声・音楽等の再生時に大きな歪みを生じ、事実上不可能であった。
【０００７】
図８に示す文献Cは、いわゆる外磁型（永久磁石がボイスコイルの外側に配設された構造）である。図７と符号を共通に用いて説明すれば、コルゲーションの有る外周辺部６０３ａを有し，中心部がドーム状に成形された合成樹脂からなるスピーカ振動板６０３の中心部に同心円筒状のボイスコイル６０４が固定されている。スピーカ振動板６０３の外周辺部６０３ａは、フレーム６０９に接着剤等で固定されている。上面が半球面状で円柱状のトップヨーク６０１の外周部６０１ａと外周部ヨーク６０６の内周部６０６ａはボイスコイル６０４と磁気的に係合する第１の空隙７０１を構成する。中空円盤状の永久磁石７０２は、トップヨーク６０１、下ヨーク７０３の外周部７０３ａ、外周部ヨーク６０６の内周部６０６ａとで第２の空隙７０５を有する磁気回路を形成すると同時に、平行ばね７０７、７０８で下ヨーク７０３、外周部ヨーク６０６の外周部６０６ｂがフレーム６０９に固定支持されてスピーカ振動板６０３の振動方向に振動できる永久磁石体６１０を構成している。第２の空隙７０５には、フレーム６０９に固定され、入力端子７０４ａ、７０４ｂを有する同心円筒状の駆動コイル７０６が配設されている。第１の空隙７０１にあるボイスコイル６０４と永久磁石体６１０は、相対的な運動ができるようになっているが、第２の空隙７０５にある駆動コイル７０６と永久磁石体６１０の関係は、相対運動ではなく永久磁石体６１０のみがスピーカ振動板６０３と同一の軸方向に運動できる。
【０００８】
スピーカ振動板６０３に這うように引き出されたボイスコイル６０４のリード線の入力端子６１２ａ、６１２ｂに交流電圧が印加されると、ボイスコイル６０４に電流が流れてスピーカ振動板６０３はＺ方向に振動して音圧を発生する。このとき、標準的な２０mmφ×５mm程度の大きさの音響装置では、永久磁石体６１０の共振周波数は概ね１１０〜１５０Ｈｚに、スピーカ振動板６０３の１次共振周波数は概ね７００〜９００Ｈｚ、２次共振周波数は５ｋＨｚに設定されている場合が多い。音声や音楽の再生は７００〜５ｋＨｚの帯域で行われるが、スピーカ振動板６０３と永久磁石体６１０は、ボイスコイル６０４と永久磁石体６１０との磁気結合を通して相対運動するように構成されているので、ボイスコイル６０４に低周波信号もしくは高周波信号を印加すると、スピーカ振動板６０３と永久磁石体６１０には連成振動が生じる。入力端子６１２ａ、６１２ｂに音声・音楽等の高周波信号が印加されるときは、スピーカ振動板６０３のみが励振され、音声・音楽等の再生にはスピーカ振動板６０３と永久磁石体６１０との間には連成振動は生じていないので歪みは発生しない。また、入力端子７０４ａ、７０４ｂに１００〜１５０Ｈｚの低周波信号を印加するときは、永久磁石体６１０のみが励振され、スピーカ振動板６０３は何等作動しない。この点では、文献Cは文献Ａ、従来例の文献Bより優れているが、入力端子６１２ａ、６１２ｂに高周波信号を、入力端子７０４ａ、７０４ｂに低周波信号を同時に印加する場合は、永久磁石体６１０は低周波で振動しているため第１の空隙７０１にあるボイスコイル６０４は相対運動することになり、スピーカ振動板６０３と永久磁石体６１０には連成振動が生じ音声・音楽等の再生には歪みが発生する。
【０００９】
また、最近の携帯機器では液晶パネルや有機ELの表示面積が大きくなって明るく見やすくなった反面、音響装置の入出力装置即ちスピーカやマイクロホンは収納面積が縮小される傾向にある。このような傾向に対応するために、従来技術による円形スピーカの直径を単に縮小するという方法では音圧が減少してしまい目的を達成することができなかった。前述の文献A,B,Cはいずれもそのような期待に応えるための技術開示が行われていない。
【００１０】
【発明が解決しようとする課題】
前述の説明から明らかなように、いずれの従来例でも低周波信号と高周波信号を同時に励振させる場合、連成が生じて音声・音楽等の品質が劣化するのを防止することが事実上不可能であった。これは、低周波振動と高周波振動がいずれもスピーカ振動板と同一方向に振動するように構成されているからである。また、小型化、薄型化が十分には図られてはいなかった。
【００１１】
【課題を解決するための手段】
本発明の目的は叙上の欠点を除去して簡単な構成で小型化薄型化が可能で音響出力が十分な多機能型音響装置を実現することにあり、特に低周波振動を回転子の回転運動で実現することに特徴がある。課題を解決するためになされた本発明の多機能型音響装置の請求項１は、前記ボイスコイルと磁気的に係合する磁気回路からなる音響装置において、前記ボイスコイルと磁気的に係合するフレームに固定された外磁型永久磁石からなる磁気回路のキャップ状ヨークの内周部に円筒状磁石を配設し、該永久磁石と空隙を介して複数個のコイルが巻回された磁性材料からなる複数個のスパイダを対向し、該スパイダと偏心した錘を回転子軸受に固定配設して回転子を形成し、前記フレームに固着した回転子軸に対して回転自在に構成し、該回転子の回転によって生じる遠心力により振動加震力が発生するようにしたことを特徴とするものである。
【００１２】
課題を解決するためになされた本発明の多機能型音響装置の請求項２は、前記ボイスコイルと磁気的に係合する磁気回路からなる音響装置において、フレームの底面に、磁性材料からなる中空キャップ状ヨークの平坦部を固定し、該平坦部上に軸方向断面が円形または楕円形状の厚み方向に単磁極に着磁されたスピーカ磁石上に磁性材料からなる板状の外周ヨークを配設し、前記ボイスコイルと磁気的に係合するように前記外周ヨークの内周面と前記キャップ状ヨークの外周面を空隙を介して対向して設け、前記キャップ状ヨークの内周側面に直径方向に着磁された円筒状のモータ磁石を設け、該モータ磁石と空隙を介して前記フレームの中心部に前記回転子を支持する回転子軸を固着し、該永久磁石と空隙を介して複数個のコイルが巻回された磁性材料からなる複数個のスパイダを対向し、該スパイダと偏心した錘を回転子軸受に固定配設して回転子を形成し、前記フレームに固着した回転子軸に対して回転自在に構成し、該回転子の回転によって生じる遠心力により振動加震力が発生するようにしたことを特徴とするものである。
【００１３】
課題を解決するためになされた本発明の多機能型音響装置の請求項３に示す振動板の外形は、円形または楕円形であることを特徴とするものである。
【００１４】
課題を解決するためになされた本発明の多機能型音響装置の請求項４に示すスピーカ磁石の外形は、円形または楕円形であることを特徴とするものである。
【００１５】
課題を解決するためになされた本発明の多機能型音響装置の請求項５に示すモータの回転子は、複数のスロットを有する積層された磁性材料からなり、上面に偏心された錘を搭載し、下面には平板状のコミュテータが配設し、回転自在となるように構成したことを特徴とするものである。
【００１６】
課題を解決するためになされた本発明の多機能型音響装置の請求項６に示すモータの回転子は、前記回転子の上下面のいずれかに、比重の大きい部材を、回転によって生じる遠心力によって振動加震力が発生するように片錘となるように前記回転子軸に対して偏心させて配設したことを特徴とするものである。
【００１７】
課題を解決するためになされた本発明の多機能型音響装置のブラシは、前記フレームの底部に一対固定され、該ブラシの先端部は前記回転子の前記コミュテータの上面を弾性的に押圧するように構成したことを特徴とするものである。
【００１８】
【発明の実施の形態】
以下では、本発明の実施の形態を図面に基づいて説明する。図１は、本発明の多機能型音響装置の実施例の主要部断面図である。図２は本発明の多機能型音響装置のモータの展開斜視図である。図３（A）は、本発明の他の実施例の上面図である。図３（B）は図３（A）のXX線断面図である。図４（A）は、図３（A）のカバーからの上面図である。図４（B）は図３（A）のYY線断面図である。図５は、本発明の多機能型音響装置のスピーカ磁石の斜視図である。
【００１９】
図１において、本発明の多機能型音響装置３００は、スピーカ１００、モータ２００とで構成され、上面から見た外形は円形、長方形または楕円形でもよくその長軸を含む断面が示されている。中央底部に回転子２０１を支持する回転子軸２０２が止め金２０４で固定され、樹脂等で形成されたカップ状フレーム１０８の外周底部には、磁性材料からなるキャップ状ヨーク１０３の平坦部１０４が固定される。平坦部１０５には、円盤状で軸方向に単磁極に着磁されたスピーカ磁石１０９が固定され、スピーカ磁石１０９の上には、樹脂等で成型された振動板１０１に固着されたボイスコイル１０２と磁気的に係合できるように磁性材料からなる外周ヨーク１０６が固定されている。外周ヨーク１０６の内周側面１０６aとキャップ状ヨーク１０３の外周側面１０３aはボイスコイル空隙１１０を形成する。スピーカ振動板１０１の上面には複数個の音響孔を有する音響カバー１０７の外周がフレーム１０８の外端に固定されている。
【００２０】
図1、図２において、中央部が円形に刳り貫かれた中空キャップ状ヨーク１０３の内周側面１０５には円筒状のモータヨーク２０８に外周をカバーされた直径方向に着磁されたモータ磁石２０７配設されている。キャップ状ヨーク１０３が磁気飽和していなければモータヨーク２０８は省略してもよい。一対の軸受を内臓（図省略）した円筒状の軸受２０３を有する回転子２０１は、回転子軸２０２に対して回転自在であり、また振動衝撃による回転子２０１の上方への飛び出しは回転子軸２０２の径拡大部２０２aで防止される。そして回転子２０１は、磁性材料が積層されてスロット２１１a、２１１b及び２１１cを有し、コイル２１２a、２１２b及び２１２cが夫々巻回されたスパイダ２１０a、２１０ｂ及び２１０cとセグメント２１３a、２１３b及び２１３ｃを有するコミュテータ２１４とで構成される。回転子２０１には偏心位置に搭載されて固定された錘２０９が設けられ、回転子２０１の回転子軸２０２と同軸に取り付けられたコミュテータ２１４のセグメント、２１３a２１３b、２１３cにはコイル２１２a、２１２b及び２１２cの巻線の端子（図省略）が通常の直流モータと同様に接続されている。回転子２０１はモータ磁石２０７の内周にモータ空隙２１５を介して配設され、一対のブラシ２０５，２０６の先端部は弾性的にコミュテータ２１４のセグメント２１３a、２１３b、２１３cの表面を押圧して電気的接続を行い、他端は一対のモータ入力端子３０１，３０２に接続されて外部の直流電源に繋げられる。
【００２１】
図３（A）、（B）、図４（A）,(B)において、楕円型多機能音響装置４００は、上面から見た外形を決めていて、XX線断面は縦に長く、YY線断面は横に短く形成されている。音響孔１１２a、１１２b、１１２c、１１２d、１１２e、１１２fを有するカバー１０７は図３（A）の上面に配設されている。細部の構成は図1、図２で説明してあるので詳細な説明を省略する。
【００２２】
図５において、スピーカ磁石１０９の外形は、径方向の長さが異なる長軸幅４１３を有する長軸４１０、短軸幅４１４を有する短軸４１１を持ち、内径は円直径４１２を形成している。このスピーカ磁石１０３の形状は、体積を大きくしてボイスコイル空隙１１０の磁束密度を向上させてスピーカ１００の音響出力を大きくすることができる力係数を増加させるためである。また、スピーカ磁石１０３の外形は、楕円に限らず直方形であってもよく、更にエネルギー積が大きい永久磁石例えばBH)mが５０[MGOe]以上のものが使用されるならばスピーカ磁石１０３の外形は円形であってもよい。この場合、振動板の外形形状は楕円または長方形に形成される。
【００２３】
本発明の実施例では、スピーカ磁石１０９の起磁力は、ボイスコイル空隙１１０に供給され、適宜設計することによって必要な磁束密度が供給される。特に、最近のようにエネルギー積が３６０〜４００［Ｊ／ｍ3 ］（４５〜５０［ＭＧＯｅ］）のNdFeB系の焼結磁石では、０．４〜０．６［Ｔ］（４〜６［ｋＧ］）の磁束密度を供給できる。
【００２４】
また、本発明の実施例では、モータ磁石２０７の起磁力は、モータ空隙２１５に供給され、適宜設計することによって必要な磁束密度が供給される。例えば、ボンドフエライト磁石またはボンドNdFeB系磁石等が要求仕様によって選択される。
【００２５】
次に、本発明の多機能型音響装置の作動を説明する。先ず、ボイスコイル入力端子１１２、１１３に広い帯域のいわゆる高周波信号が単独で印加された場合は、ボイスコイル空隙１１０にあるボイスコイル１０２にはZ方向に力が働き、スピーカ１００のスピーカ振動板１０１はZ方向に振動して音圧を発生し、音響カバー１０７の音響孔１１１a〜１１１ｆを通して音波を放出する。
【００２６】
モータ入力端子３０１、３０２に直流電圧が３〜３．６Ｖが印加されるとブラシ２０５，２０６、コミュテータ２１４を経由して回転子２０１のコイル２１２a〜２１２Cに通電されて起動し、設計仕様によって決まる回転数例えば８，０００ｒｐｍに達する。このとき、回転子２０１の錘２０９の質量をＭ、回転子軸２０２の中心から錘２０９の重心までの距離をＲ、回転子２０１の回転子軸２０２との摩擦係数をμ、回転子２０１の回転数をω［rad/sec］、回転子軸２０２の半径をｒとすると、負荷トルクＴＬは、以下の式で表される。
ＴＬ＝μｒＲω2 Ｍ        ［Ｎ・ｍ］…………    （１）
回転子２０１は、（１）式による負荷トルクＴＬの負荷を負担すればよいので大きなモータ出力は要求されない。従って、電力消費は僅少で済むことが期待できる。
【００２７】
本発明の実施例の多機能型音響装置のボイスコイル１０２の入力端子１１２  、１１３に広い帯域のいわゆる高周波信号が印加され、モータ入力端子３０１、３０２に直流電圧が約３．０〜３．６Ｖ同時に印加された場合は、回転子２０１が所定の速度で回転していてもボイスコイル空隙１１０の磁束密度は殆ど変化しないのでスピーカ１００が発生する音圧は回転子２０１が回転していないときと殆ど変わらず音質が劣化することはない。
【００２８】
【発明の効果】
本発明によれば、携帯機器の表示面積を明るく大きくできて円形スピーカのように配置上のデッドスペースがないスペース効率のよい楕円型の多機能音響装置を容易に実現することができることである。
【００２９】
また、更に本発明の多機能型音響装置によれば、簡単な構成で発音体の広帯域信号を忠実に再生することができる。
【００３０】
また、更に本発明の多機能型音響装置によれば、簡単な構成で直流モータによる体感加震力の大きい低周波振動を確実に得ることができる。
【００３１】
また、更に本発明の多機能型音響装置によれば、広帯域信号によるスピーカ駆動と直流モータによる振動を同時駆動がすることができて音質の劣化のないコスト／パフォーマンスの優れたスピーカを実現することができる。
【００３２】
また更に、従来例では振幅の大きい低周波振動がスピーカ振動板の振動と同一方向であるため装置の厚みがある程度必要であったが、本発明の多機能型音響装置によれば、低周波振動が回転方向に発生するので多機能型音響装置の厚みを薄くなるようにスピ−カ磁石の磁気回路とモータの構成をほぼ同一平面状に配設できるので、携帯機器の小形化、薄形化に貢献する。
【図面の簡単な説明】
【図１】本発明の多機能型音響装置の実施例の主要部断面図である。
【図２】本発明の多機能型音響装置のモータの展開斜視図である。
【図３】（Ａ）は、本発明の他の他の実施例の上面図である。（B）は（A）のXX線断面図である。
【図４】（Ａ）は、図３（A）のカバーからの上面図である。（B）は図３（A）のYY線断面図である。
【図５】本発明の多機能型音響装置のスピーカ磁石の斜視図である。
【図６】特開平５ー８５１９２号に記載された電磁誘導型変換器の説明図に相当する従来例の断面図である。
【図７】多機能型装置の従来例の半断面図である。
【図８】本願出願人による既出願文献・特願２０００ー１２１８５２号に記載された説明図に相当する断面図である。
【符号の説明】
１００  スピーカ
１０１  スピーカ振動板
１０２  ボイスコイル
１０３  キャップ状ヨーク
１０３a  外周側面
１０４  第1平坦部
１０５  内周側面
１０６  外周ヨーク
１０６a  内周側面
１０７  カバー
１０８  フレーム
１０９  スピーカ磁石
１１０  ボイスコイル空隙
１１２，１１３  ボイスコイル入力端子
１１１a、１１１b、１１１c、１１１d、１１１e、１１１f   音響孔
２００  モータ
２０１  回転子
２０２  回転子軸
２０２a  径拡大部
２０５，２０６  ブラシ
２０７  モータ磁石
２０８  モータヨーク
２０９  錘
２１０a、２１０b、２１０c  スパイダ
２１１a、２１１b、２１１c  スロット
２１２a、２１２b、２１２c  コイル
２１３a、２１３b、２１３c  セグメント
２１４  コミュテータ
２１５  モータ空隙
３００  多機能型音響装置
３０１，３０２  モータ入力端子
４００  楕円型多機能音響装置
４１０  長軸
４１１  短軸
４１３  長軸幅
４１４  短軸幅
【図１】
0003856429.tif 000002
【図２】
0003856429.tif 000003
【図３】
0003856429.tif 000004
【図４】
0003856429.tif 000005
【図５】
0003856429.tif 000006
【図６】
0003856429.tif 000007
【図７】
0003856429.tif 000008
【図８】
0003856429.tif 000009